(57)【要約】【課題】図面等の画像情報の対象箇所と写真とを容易に関連づけすることが可能な記録画像処理システム、記録画像処理方法、および記録画像処理用プログラムを提供することを目的とする。【解決手段】本発明に係る記録画像処理システムによれば、情報処理装置１００では、表示ユニット２０６上に表示される画像情報中で位置を指定し、位置指定後、デジタルカメラ２００に撮像指示を送出し、デジタルカメラ１００は、撮影指示を受信した場合に被写体を撮像して、撮像画像およびその属性情報を情報処理装置１００に送信し、情報処理装置１００では、受信した撮像画像およびその属性情報を指定された画像情報中の位置を示す位置情報に関連づけて記録画像処理テーブルに登録する。【選択図】        図２
2007018367.tif 000002
【特許請求の範囲】
【請求項１】
情報を表示するための表示手段と、
前記表示手段上に表示される画像情報中で位置を指定する位置指定手段と、
被写体を撮像して撮像画像を取得する撮像手段と、
前記撮像手段で撮像された撮像画像を、前記位置指定手段で指定された画像情報中の位置を示す位置情報に関連づけて記憶手段に登録する撮像画像関連づけ手段と、
を備えたことを特徴とする記録画像処理システム。
【請求項２】
前記位置指定手段により前記画像情報中で位置が指定された場合に、前記撮像手段に対して、撮像指示を送出して撮像を行わせる撮像指示送出手段を備え、
前記撮像手段は、前記撮像指示を受信した場合に被写体の撮像を行うことを特徴とする請求項１に記載の記録画像処理システム。
【請求項３】
前記撮像手段が被写体を撮像する際に、当該撮像に関する属性情報を取得する属性情報取得手段と、
前記撮像画像関連付け手段は、前記属性情報を前記位置情報および前記撮像画像に関連づけて前記記憶手段に登録することを特徴とする請求項１または請求項２に記載の記録画像処理システム。
【請求項４】
前記属性情報は、緯度情報、経度情報、高さ情報、撮影方向、およびメモ情報の少なくとも１つを含むことを特徴とする請求項３に記載の記録画像処理システム。
【請求項５】
前記表示手段上に表示される画像情報の前記位置指定手段で指定された位置に識別マークを表示する識別マーク表示手段と、
前記識別マーク選択された場合に、前記前記記憶手段から対応する撮像画像を読み出して表示する撮像画像表示手段と、
を備えたことを特徴とする請求項１〜請求項４のいずれか１つに記載の記録画像処理システム。
【請求項６】
前記画像情報は、建築、設備、および土木等に関する図面、または地図情報であることを特徴とする請求項１〜請求項５のいずれか１つに記載の記録画像処理システム。
【請求項７】
表示手段上に表示される画像情報中で位置を指定する位置指定工程と、
撮像手段が被写体を撮像する撮像工程と、
前記撮像工程で撮像された撮像画像を、前記位置指定工程で指定された画像情報中の位置を示す位置情報に関連づけて記憶手段に登録する撮像画像関連づけ工程と、
を含むことを特徴とする記録画像処理方法。
【請求項８】
前記位置指定工程により前記画像情報中で位置が指定された場合に、前記撮像手段に対して、撮像指示を送出して撮像を行わせる撮像指示送出工程を含み、
前記撮像工程では、前記撮像指示を受信した場合に被写体の撮像を行うことを特徴とする請求項７に記載の記録画像処理方法。
【請求項９】
前記撮像工程で、被写体を撮像する際に、当該撮像に関する属性情報を取得する属性情報取得工程を含み、
前記撮像画像関連づけ工程では、前記属性情報を前記位置情報および前記撮像画像に関連づけて前記記憶手段に登録することを特徴とする請求項７または８に記載の記録画像処理方法。
【請求項１０】
前記属性情報は、緯度情報、経度情報、高さ情報、撮影方向、およびメモ情報の少なくとも１つを含むことを特徴とする請求項９に記載の記録画像処理方法。
【請求項１１】
前記表示手段上に表示される画像情報の前記位置指定工程で指定された位置に識別マークを表示する識別マーク表示工程と、
前記識別マーク選択された場合に、前記前記記憶手段から対応する撮像画像を読み出して表示する撮像画像表示工程と、
を含むことを特徴とする請求項７〜請求項１０のいずれか１つに記載の記録画像処理方法。
【請求項１２】
前記画像情報は、建築、設備、および土木等に関する図面、または地図情報であることを特徴とする請求項７〜請求項１１のいずれか１つに記載の記録画像処理方法。
【請求項１３】
コンピュータに、
表示手段上に表示される画像情報中で位置を指定する位置指定工程と、
撮像手段が被写体を撮像する撮像工程と、
前記撮像工程で撮像された撮像画像を、前記位置指定工程で指定された画像情報中の位置を示す位置情報に関連づけて記憶手段に登録する撮像画像関連づけ工程と、
を実行させることを特徴とする記録画像処理用プログラム。
【請求項１４】
コンピュータに、
前記位置指定工程により前記画像情報中で位置が指定された場合に、前記撮像手段に対して、撮像指示を送出して撮像を行わせる撮像指示送出工程を実行させ、
前記撮像工程では、前記撮像指示を受信した場合に被写体の撮像を行うことを特徴とする請求項１３に記載の記録画像処理用プログラム。
【請求項１５】
コンピュータに
前記撮像工程で、被写体を撮像する際に、当該撮像に関する属性情報を取得する属性情報取得工程を実行させ、
前記撮像画像関連づけ工程では、前記属性情報を前記位置情報および前記撮像画像に関連づけて前記記憶手段に登録することを特徴とする請求項１３または１４に記載の記録画像処理用プログラム。
【請求項１６】
前記属性情報は、緯度情報、経度情報、高さ情報、撮影方向、およびメモ情報の少なくとも１つを含むことを特徴とする請求項１５に記載の記録画像処理用プログラム。
【請求項１７】
コンピュータに、
前記表示手段上に表示される画像情報の前記位置指定工程で指定された位置に識別マークを表示する識別マーク表示工程と、
前記識別マーク選択された場合に、前記前記記憶手段から対応する撮像画像を読み出して表示する撮像画像表示工程と、
を実行させることを特徴とする請求項１３〜請求項１６のいずれか１つに記載の記録画像処理用プログラム。
【請求項１８】
前記画像情報は、建築、設備、および土木等に関する図面、または地図情報であることを特徴とする請求項１３〜請求項１７のいずれか１つに記載の記録画像処理用プログラム。
【発明の詳細な説明】
【技術分野】
【０００１】
本発明は、記録画像処理システム、記録画像処理方法、および記録画像処理用プログラムに関し、詳細には、図面等の対象箇所と写真とを容易に関連づけすることが可能な記録画像処理方法、および記録画像処理用プログラムに関する。
【背景技術】
【０００２】
各種建築物の新築や改築工事においては、施工中または施工後の状態を現場検証や検査する局面が多くある。従来はこの現場検証や検査の記録は、設計図面とカメラを持参して、設計図面通りに建築物が施工されているか否かを確認し、対象箇所を図面上でチェックするとともに写真を撮り、事務所に戻ってからこの写真と図面上の対象箇所とを整理して、分類を行っている。
【０００３】
しかしながら、図面の対象箇所と写真とを関連づけする作業は煩雑であり、また、すぐに作業できない場合には、記憶が不鮮明になって関連づけを行うことができなくなり、再度、写真を撮り直す必要がある場合もある。建築内装現場の写真を管理する技術としては、例えば、特許文献１が公知である。
【０００４】
【特許文献１】特開２００１−３４９０５９号公報
【発明の開示】
【発明が解決しようとする課題】
【０００５】
本発明は、上記課題に鑑みてなされたものであり、図面等の画像情報の対象箇所と写真とを容易に関連づけすることが可能な記録画像処理システム、記録画像処理方法、および記録画像処理用プログラムを提供することを目的とする。
【課題を解決するための手段】
【０００６】
上記した課題を解決して、本発明の目的を達成するために、本発明は、情報を表示するための表示手段と、前記表示手段上に表示される画像情報中で位置を指定する位置指定手段と、被写体を撮像して撮像画像を取得する撮像手段と、前記撮像手段で撮像された撮像画像を、前記位置指定手段で指定された画像情報中の位置を示す位置情報に関連づけて記憶手段に登録する撮像画像関連づけ手段と、を備えたことを特徴とする。
【０００７】
これにより、画像情報を表示手段に表示し、その画像情報中で位置を指定すると、撮像手段で撮像が行われ、当該撮像画像と指定された画像情報中の位置を示す位置情報とを関連づけて記憶手段に登録することができ、図面等の画像情報の対象箇所と写真とを容易に関連づけすることが可能となり、利用者の整理や分類の作業が不要となる。
【０００８】
また、本発明の好ましい態様によれば、前記位置指定手段により前記画像情報中で位置が指定された場合に、前記撮像手段に対して、撮像指示を送出して撮像を行わせる撮像指示送出手段を備え、前記撮像手段は、前記撮像指示を受信した場合に被写体の撮像を行うことが望ましい。これにより、前記位置指定手段により前記画像情報中で位置が指定された場合に、撮像手段で自動的に撮像を行うことが可能となる。
【０００９】
また、本発明の好ましい態様によれば、前記撮像手段が被写体を撮像する際に、当該撮像に関する属性情報を取得する属性情報取得手段と、前記撮像画像関連付け手段は、前記属性情報を前記位置情報および前記撮像画像に関連づけて前記記憶手段に登録することが望ましい。これにより、写真にその属性情報を容易に関連づけすることが可能となる。
【００１０】
また、本発明の好ましい態様によれば、前記属性情報は、緯度情報、経度情報、高さ情報、撮影方向、およびメモ情報の少なくとも１つを含むことが望ましい。これにより、緯度情報、経度情報、高さ情報、撮影方向、およびメモ情報等を写真に関連づけすることが可能となる。
【００１１】
また、本発明の好ましい態様によれば、前記表示手段上に表示される画像情報の前記位置指定手段で指定された位置に識別マークを表示する識別マーク表示手段と、前記識別マーク選択された場合に、前記前記記憶手段から対応する撮像画像を読み出して表示する撮像画像表示手段と、を備えることが望ましい。これにより、撮影済みの写真を容易に確認することが可能となる。
【００１２】
また、本発明の好ましい態様によれば、前記画像情報は、建築、設備、および土木等に関する図面、または地図情報であることが望ましい。これにより、これにより、建築現場や土木現場で、証拠写真等を取る場合に建築や土木図面と写真の関連づけが容易となり、また、地図情報や帳票と、写真との関連づけが容易となる。
【００１３】
上記した課題を解決して、本発明の目的を達成するために、本発明は、表示手段上に表示される画像情報中で位置を指定する位置指定工程と、撮像手段が被写体を撮像する撮像工程と、前記撮像工程で撮像された撮像画像を、前記位置指定工程で指定された画像情報中の位置を示す位置情報に関連づけて記憶手段に登録する撮像画像関連づけ工程と、を含むことを特徴とする。
【００１４】
また、本発明の好ましい態様によれば、前記位置指定工程により前記画像情報中で位置が指定された場合に、前記撮像手段に対して、撮像指示を送出して撮像を行わせる撮像指示送出工程を含み、前記撮像工程では、前記撮像指示を受信した場合に被写体の撮像を行うことが望ましい。
【００１５】
また、本発明の好ましい態様によれば、前記撮像工程で、被写体を撮像する際に、当該撮像に関する属性情報を取得する属性情報取得工程を含み、
前記撮像画像関連づけ工程では、前記属性情報を前記位置情報および前記撮像画像に関連づけて前記記憶手段に登録することを特徴とする。
【００１６】
また、本発明の好ましい態様によれば、前記属性情報は、緯度情報、経度情報、高さ情報、撮影方向、およびメモ情報の少なくとも１つを含むことが望ましい。
【００１７】
また、本発明の好ましい態様によれば、前記表示手段上に表示される画像情報の前記位置指定工程で指定された位置に識別マークを表示する識別マーク表示工程と、前記識別マーク選択された場合に、前記前記記憶手段から対応する撮像画像を読み出して表示する撮像画像表示工程と、を含むことが望ましい。
【００１８】
また、本発明の好ましい態様によれば、前記画像情報は、建築、設備、および土木等に関する図面、または地図情報であることが望ましい。
【００１９】
上記した課題を解決して、本発明の目的を達成するために、コンピュータに、表示手段上に表示される画像情報中で位置を指定する位置指定工程と、撮像手段が被写体を撮像する撮像工程と、前記撮像工程で撮像された撮像画像を、前記位置指定工程で指定された画像情報中の位置を示す位置情報に関連づけて記憶手段に登録する撮像画像関連づけ工程と、を実行させることを特徴とする。
【００２０】
また、本発明の好ましい態様によれば、コンピュータに、前記位置指定工程により前記画像情報中で位置が指定された場合に、前記撮像手段に対して、撮像指示を送出して撮像を行わせる撮像指示送出工程を実行させ、前記撮像工程では、前記撮像指示を受信した場合に被写体の撮像を行うことが望ましい。
【００２１】
また、本発明の好ましい態様によれば、コンピュータに、前記撮像工程で、被写体を撮像する際に、当該撮像に関する属性情報を取得する属性情報取得工程を実行させ、前記撮像画像関連づけ工程では、前記属性情報を前記位置情報および前記撮像画像に関連づけて前記記憶手段に登録することが望ましい。
【００２２】
また、本発明の好ましい態様によれば、前記属性情報は、緯度情報、経度情報、高さ情報、撮影方向、およびメモ情報の少なくとも１つを含むことが望ましい。
【００２３】
また、本発明の好ましい態様によれば、コンピュータに、前記表示手段上に表示される画像情報の前記位置指定工程で指定された位置に識別マークを表示する識別マーク表示工程と、前記識別マーク選択された場合に、前記記憶手段から対応する撮像画像を読み出して表示する撮像画像表示工程と、
を実行させることが望ましい。
【００２４】
また、本発明の好ましい態様によれば、前記画像情報は、建築、設備、および土木等に関する図面、または地図情報であることが望ましい。
【発明の効果】
【００２５】
本発明によれば、位置指定手段は、表示手段上に表示される画像情報中で位置を指定し、撮像手段は被写体を撮像して撮像画像を取得し、撮像画像関連づけ手段は、撮像画像を位置指定手段で指定された画像情報中の位置を示す位置情報に関連づけて記憶手段に登録することとしたので、図面等の画像情報の対象箇所と写真とを容易に関連づけすることが可能となるという効果を奏する。
【発明を実施するための最良の形態】
【００２６】
以下に、この発明に係る記録画像処理システム、記録画像処理方法、および記録画像処理用プログラムを適用した好適な実施の形態を、図面を参照しつつ詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。また、本明細書において、画像情報とは、ＪＰＥＧやビットマップ等のラスターデータ、およびＣＡＤデータ等のベクターデータなどの各種形態のデータを含むものである。
【００２７】
図１は、本発明に係る記録画像処理システム１の外観構成例を示す図である。同図に示す記録画像処理システム１は、携帯可能なノートパソコン等の情報処理装置１００と、デジタルカメラ２００とで構築されており、情報処理装置１００とデジタルカメラ２００とは、有線ケーブルまたは無線でデータ通信可能に接続される。
【００２８】
図２は、図１の記録画像処理システム１のブロック構成例を示す図である。情報処理装置１００は、図２に示すように、ＣＰＵを含む制御ユニット１０１と、メモリユニット１０２と、表示ユニット１０３と、入力ユニット１０４と、ＣＤ−ＲＯＭドライブユニット１０５（ＤＶＤドライブユニット、ＦＤドライブユニットであってもよい）と、ＨＤユニット１０６と、印刷ユニット１０７と、外部Ｉ／Ｆユニット１０８とを備え、これらの各ユニットは、それぞれシステムバスＡを介して接続されている。
【００２９】
図２において、制御ユニット１０１は、ＣＰＵ等からなり、本発明の記録画像処理用プログラムを従って記録画像処理を実行する。メモリユニット１０２は、ＲＡＭ、ＲＯＭ等の各種メモリを含み、制御ユニット１０１が実行すべきプログラム、処理の過程で得られた必要なデータ等を記憶する。表示ユニット１０３は、ＣＲＴやＬＣＤ（液晶表示パネル）等で構成され、使用者に対して各種画面を表示する。入力ユニット１０４は、キーボード、マウス、タッチペン、タッチパネル、および音声入力デバイス等で構成され、使用者が、各種情報の入力を行うために使用する。
【００３０】
ＨＤユニット１０６は、ＯＳプログラム（例えば、ＷＩＮＤＯＷＳ（Ｒ））、本発明に係る記録画像処理用プログラム、画像ファイル、および本発明に係る記録画像処理で作成される記録画像処理テーブル（図５参照）等が格納される。印刷ユニット１０７は、電子写真方式やインクジェット方式のプリンタで構成され、表示ユニット１０３の画面に表示されたデータ等を転写紙に印刷出力する。
【００３１】
図示のＣＤ−ＲＯＭ１０９には、上述した本発明の記録画像処理用プログラムやＯＳ（例えば、Ｗｉｎｄｏｗｓ（Ｒ））等が格納されている。ここで、上記本発明にかかる記録画像処理用プログラムが実行可能な状態になるまでの情報処理装置１００の動作例について説明する。まず、上記のように構成される情報処理装置１００には、ＣＤ−ＲＯＭドライブユニット１０５にセットされたＣＤ−ＲＯＭ１０９から、記録画像処理用プログラムがＨＤユニット１０６にインストールされる。そして、情報処理装置１００の起動時またはプログラムの実行時に、ＨＤユニット１０６から読み出されたプログラムがメモリユニット１０２に格納される。この状態で、制御ユニット１０１は、メモリユニット１０２に格納されたプログラムにしたがって、記録画像処理を実行する。
【００３２】
なお、本発明においては、ＣＤ−ＲＯＭ１０９にて上記記録画像処理を記述したプログラムを提供しているが、このプログラムの記録媒体は、これに限定されることなく、システムを構成するコンピュータに応じて、たとえば、フロッピー（Ｒ）ディスク等の磁気ディスク、光磁気ディスク、磁気テープ等の他の記録媒体を用いることも可能である。また、電子メール、インターネット等の伝送媒体により提供されたプログラムを用いることとしてもよい。
【００３３】
デジタルカメラ２００は、図２に示すように、撮像ユニット２０１、制御ユニット２０２、メモリユニット２０３、操作ユニット２０４、外部Ｉ／Ｆユニット２０５、表示ユニット２０６、ＧＰＳユニット２０７、入力ユニット２０８等を備えている。撮像ユニット２０１は、被写体像を結像するためのレンズ（ズームレンズ、フォーカスレンズ）、結像された被写体像を電気信号（アナログの画像データ）に変換するＣＣＤ、ＣＣＤから出力されるアナログの画像データをデジタル信号（デジタル画像データ）に変換するＡ／Ｄ変換器等を備えている。制御ユニット２０２は、デジタルカメラ全体の制御を行う。メモリユニット２０３は、ＲＡＭ、ＲＯＭ等の各種メモリを含み、制御ユニット２０２が実行すべきプログラム、処理の過程で得られた必要なデータ、および撮像ユニット２０１で撮像した撮像画像等を記憶する。
【００３４】
操作ユニット２０４は、利用者がデジタルカメラ２００に動作指示を与えるためのものであり、電源キー、レリーズキー等の操作ボタンを備えている。外部Ｉ／Ｆユニット２０５は、ＲＳ２３２Ｃ，ＵＳＢケーブル等の有線ケーブルやＩｒＤＡ等の無線で外部装置（例えば、パソコン）とデータ通信するためのインターフェースである。表示ユニット２０６は、例えば、ＬＣＤからなり、撮像ユニット２０１で撮像した画像の表示、および入力ユニット２０８から入力された情報の表示等を行う。ＧＰＳユニット２０７は、不図示のＧＰＳサービスから緯度情報や経度情報を受信する。なお、ＧＰＳユニット２０７は本発明の必須の構成要素ではない。入力ユニット２０８は、利用者が情報を入力するためのキーを備えている。
【００３５】
図３は、上記情報処理装置１００の記録画像処理を説明するためのフローチャート、図４は上記記録画像処理の画面フローの一例を示している。上記情報処理装置１００の記録画像処理を図３のフローチャートに従って、図４の画面フローを参照して説明する。
【００３６】
図３において、情報処理装置１００では、まず、記録画像処理用プログラムが起動されると、表示ユニット１０３に、「編集対象のファイルを選択して下さい。」というメッセージが表示される（図４（Ｄ１））。利用者は、Ｄ１画面で編集対象の画像ファイルを選択する。
【００３７】
選択された画像ファイルがＨＤユニット１０６から読み出されて、その画像情報が表示ユニット１０３に表示される（ステップＳ２、図４（Ｄ２））。Ｄ２画面には、「写真の貼り付け位置を指定して下さい。」というメッセージが表示される。利用者は、画像情報の中で写真の貼り付け位置を指定する（ステップＳ２）。
【００３８】
写真の貼り付け位置が指定されると、「カメラの配置は完了しましたか？」というメッセージが表示される（図４（Ｄ３））。利用者は、対応する被写体を撮影するための撮像位置にカメラを配置して、Ｄ３画面でＯＫボタンを押すと、デジタルカメラ２００に撮像指示が送信される（ステップＳ３）。
【００３９】
デジタルカメラ２００は、撮像指示を受信すると（ステップＴ１）、被写体を撮像してその撮像画像をメモリユニット２０３に格納する（ステップＴ２）。また、デジタルカメラ２００は、この撮像に関する属性情報を取得してメモリユニット２０３に格納する（ステップＴ３）。ここで、属性情報は、ＧＰＳユニット２０７で取得した撮像時の緯度情報・経度情報、内部時計で取得した撮像時刻、入力ユニット２０８で入力した高さの情報、撮影方向、およびメモ情報（場所、担当者等）等である。なお、内部時計は、不図示の時刻サービスやＧＰＳサービスで自動時刻調整がなされている。デジタルカメラ２００は、メモリユニット２０３に格納した撮像画像および属性情報を情報処理装置１００に送信する（ステップＴ４）。
【００４０】
情報処理装置１００は、撮像画像および属性情報を受信すると（ステップＳ４）、撮像Ｎｏ、写真の貼り付けが指定された位置を示す位置情報（画像情報中の位置）、撮像画像、および属性情報を関連づけて、記録画像処理テーブルに登録する（ステップＳ５）。図５は、記録画像処理テーブルのフォーマットの一例を示す図である。記録画像処理テーブルは、編集対象となるファイル（画像情報）毎に作成され、撮像Ｎｏ、写真の貼り付けが指定された位置を示す位置情報（画像情報中の位置）、撮像画像、および属性情報のフィールドを備えている。ここで、撮像Ｎｏは、撮像が行われる毎に連番が付される。
【００４１】
この後、画像情報に、その写真の貼り付け位置を示す識別マーク（カメラマーク）が重畳して表示される（ステップＳ６、（図４（Ｄ４））。Ｄ４画面の識別マークをマウス等でクリックすると、位置情報をキーとして、記録画像処理テーブルに格納されている対応する撮像画像および属性情報を表示することができる。また、Ｄ４画面には、記録画像処理テーブルに格納されている撮像画像および属性情報の一覧を表示するための「一覧」、「写真の貼り付けを続行」、「保存」、「初期画面に戻る」が表示される。
【００４２】
利用者が識別マークを指定すると（ステップＳ７）、位置情報をキーとして、記録画像処理テーブルに格納されている対応する撮像画像および属性情報が表示される（ステップＳ８、図４（Ｄ５））。
【００４３】
また、利用者が一覧を選択すると（ステップＳ９）、記録画像処理テーブルに格納されている撮像画像および属性情報の一覧が表示される（ステップＳ１０、図４（Ｄ６））。
【００４４】
また、利用者が「写真の貼り付けを続行」を選択すると（ステップＳ１１）、ステップＳ２に戻り、次の写真の貼り付けが行われる。この場合、識別マークの表示は累積される。
【００４５】
また、利用者が「最初に戻る」を選択すると（ステップＳ１２）、ステップＳ１の初期画面（図４（Ｄ１））に戻る。また、利用者が「保存」を選択すると（ステップＳ１３）、記録画像処理テーブルを編集対象のファイルと関連づけてＨＤＤユニット１０６に格納される（ステップＳ１４）。この場合、編集対象のファイルと記録画像処理テーブルを同一フォルダに格納することにしてもよい。
【００４６】
以上説明したように、上記実施の形態によれば、情報処理装置１００では、表示ユニット２０６上に表示される画像情報中で位置を指定し、位置指定後、デジタルカメラ２００に撮像指示を送出し、デジタルカメラ１００は、撮影指示を受信した場合に被写体を撮像して、撮像画像およびその属性情報を情報処理装置１００に送信し、情報処理装置１００では、受信した撮像画像およびその属性情報を指定された画像情報中の位置を示す位置情報に関連づけて記録画像処理テーブルに登録することとしたので、図面等の画像情報の対象箇所と写真とを容易に関連づけすることが可能となり、利用者の整理や分類の作業が不要となる。
【００４７】
また、画像情報の指定された位置に識別マークを表示し、利用者により識別マーク選択された場合に、記録画像処理テーブルから対応する撮像画像および属性情報を読み出して表示することとしたので、撮影済みの写真およびその属性情報を容易に確認することが可能となる。
【００４８】
なお、上記した実施の形態では、記録画像処理システム１をノートパソコン等の情報処理装置１００とデジタルカメラ２００とで構成することとしたが、必ずしも両者は物理的に分離している必要がなく、デジタルカメラ付きのノートパソコン等を使用することにしてもよい。
【００４９】
また、上記実施の形態では、属性情報をデジタルカメラ２００が取得して情報処理装置１００に送信することとしたが、情報処理装置１００で属性情報を入力することにしてもよい。
【００５０】
また、一度入力された属性情報の改変ができないように、一旦、記録画像処理テーブルに登録された属性情報の書き換えを禁止する構成（読み出しオンリー）としてもよい。これにより、撮像画像の証拠性を上げることができる。また、撮影時に撮影情報（写真の識別番号と時刻）を管理サーバに送信し、以降に改変かあったか否かを確認可能な構成とすることにしてもよい。
【００５１】
また、画像ファイル（画像情報）毎に作成される記録画像処理テーブルを一元的に管理し、所定のキーワードで検索して分類・整理することにしてもよい。例えば、担当者別や場所別に該当するデータを複数の記録画像処理テーブルから検索して、１つのファイルに纏めることにしてもよい。
【００５２】
また、上記した実施の形態では、情報処理装置１００とデジタルカメラ２００を接続しておき、情報処理装置１００では、表示ユニット２０６上に表示される画像情報中で位置を指定し、位置指定後、デジタルカメラ２００に撮像指示を送出し、デジタルカメラ２００では、撮影指示を受信した場合に被写体を撮像することとしたが、撮像処理装置１００とデジタルカメラ２００とは、撮影時に接続されていることは必ずしも必要ではなく、デジタルカメラ２００で手動により被写体を撮像することにしてもよい。この場合、例えば、情報処理装置１００とデジタルカメラ２００とで事前に時刻合わせを行っておき、デジタルカメラ２００の手動による撮像後に、デジタルカメラ１００を情報処理装置１００に接続し、タイムスタンプ等を利用することにより、撮像画像と画像情報の位置情報とを自動的に関連づけて記録画像処理テーブルに登録することにしてもよい。
【００５３】
（本発明に係る記録画像処理システムの適用例）
上記記録画像処理システム１は各種写真の整理に利用することができ、以下にその具体的適用例を示す。
【００５４】
（１）建築現場の証拠写真
上記構成の記録画像処理システム１は、建築関係の用途で好適に使用することができる。例えば、建築現場の検査時に写真を証拠として提出する場合に利用することができる。図６−１〜図６−５を参照して建築現場で使用する場合について説明する。
【００５５】
図６−１は表示ユニット１０３に表示される工事現場の建築図面を示している。この図６−１に示す図面で、検査時に写真を取りたい場所（検査箇所）を指定し、実際の建築現場で対応する位置にデジタルカメラをセットして撮像を行う。この場合、属性情報（緯度情報、経度情報、場所、担当者、撮影方向等）を取得する。撮像Ｎｏ、位置情報（画像情報中の位置）、撮像画像、および属性情報が記録画像処理テーブルに登録される。
【００５６】
図６−２は指定された位置の撮影が行われて、撮像画像がある旨を示す識別マークが表示されている例を示している。図６−３に示すように、図面中で近接して撮影したい位置が指定された場合、拡大して表示することにしてもよい。識別マークをマウスでクリックすると、図６−４に示すように、記録画像処理テーブルに格納されている対応する撮像画像および属性情報が表示される。この場合、Ａ１に示すように、図面に重ねて撮像画像および属性情報を表示することにしてもよいし、また、Ａ２に示すように、別ウインドウで撮像画像および属性情報を表示することにしてもよい。また、図面で撮像が行われた箇所を全て確認するために、図６−５に示すような一覧表示を行うことができる。このように、建築現場の図面に関連づけて検査箇所の写真やその属性情報を整理することが可能となる。
【００５７】
（２）産業廃棄物管理の応用
産廃の管理では、（Ａ）“排出場所”で排出された廃棄物を、（Ｂ)“所定の廃棄場所”に廃棄されたことを管理する必要がある。現在でも記録の一部として、（Ａ）、（Ｂ)双方の写真を撮影・記録しているが、写真と撮影場所の関連が人間任せのため信憑性がない。本実施の形態の記録画像処理システム１を使用して、撮影画像と撮影場所（緯度情報、経度情報）および撮影日時とを関連づけて登録し、改ざんすることができないものとすることにより、産廃管理上の証拠記録として有用となる。
【００５８】
（３）旅行写真等の整理
近時、デジタルカメラが普及しているが、その手軽さゆえに気軽にシャッターを押してしまうため、撮影枚数が増え、後の整理が問題となる場合がある。本実施の形態の記録画像処理システム１を利用して、例えば、地図情報を表示し、この地図上で撮影箇所を指定して撮像画像と関連づけを行うことにしてもよい。また、撮影時の緯度・経度から国・都市別に写真を分類することにしてもよい。
【産業上の利用可能性】
【００５９】
本発明に係る記録画像処理システム、記録画像処理方法、および記録画像処理用プログラムは、写真を整理する場合に広く利用でき、特に、建築関係で使用する場合に有用である。
【図面の簡単な説明】
【００６０】
【図１】本発明に係る記録画像処理システムの外観構成例を示す図である。
【図２】図１の記録画像処理システムのブロック構成例を示す図である。
【図３】記録画像処理を説明するためのフローチャートである。
【図４】記録画像処理の画面フローの一例を示す図である。
【図５】記録画像処理テーブルの一例を示す図である。
【図６−１】本発明に係る記録画像処理システムを建築現場の検査で使用する場合を説明するための図である（その１）。
【図６−２】本発明に係る記録画像処理システムを建築現場の検査で使用する場合を説明するための図である（その２）。
【図６−３】本発明に係る記録画像処理システムを建築現場の検査で使用する場合を説明するための図である（その３）。
【図６−４】本発明に係る記録画像処理システムを建築現場の検査で使用する場合を説明するための図である（その４）。
【図６−５】本発明に係る記録画像処理システムを建築現場の検査で使用する場合を説明するための図である（その５）。
【符号の説明】
【００６１】
１  記録画像処理システム
１００  情報処理装置
１０１  制御ユニット
１０２  メモリユニット
１０３  表示ユニット
１０４  入力ユニット
１０５  ＣＤ−ＲＯＭドライブユニット
１０６  ＨＤユニット
１０７  印刷ユニット
１０８  外部Ｉ／Ｆユニット
２０１  撮像ユニット
２０２  制御ユニット
２０３  メモリユニット
２０４  操作ユニット
２０５  外部Ｉ／Ｆユニット
２０６  表示ユニット
２０７  ＧＰＳユニット
２０８  入力ユニット
【図１】
2007018367.tif 000003
【図２】
2007018367.tif 000004
【図３】
2007018367.tif 000005
【図４】
2007018367.tif 000006
【図５】
2007018367.tif 000007
【図６−１】
2007018367.tif 000008
【図６−２】
2007018367.tif 000009
【図６−３】
2007018367.tif 000010
【図６−４】
2007018367.tif 000011
【図６−５】
2007018367.tif 000012